(57)【要約】【課題】照明装置にアクセスポイントを取り付けた場合において、特定のアクセスポイントにアクセスが集中しないようにする。【解決手段】照明装置１０は、光源１１０、接続部１２０、及び照明側制御部１３０を備えている。接続部１２０は、通信端末２０と無線で通信し、かつ通信端末２０を通信網３０に接続する。照明側制御部１３０は、接続部１２０を介した通信量を減らすことを示す通信制御情報に基づいて、光源１１０を制御する。そして通信端末２０は、照明装置１０の接続部１２０と通信する。【選択図】図１
2014212424.tif 000002
【特許請求の範囲】
【請求項１】
照明装置と、
通信端末と
を備え、
前記照明装置は、
光源と、
前記通信端末と無線で通信し、かつ前記通信端末を通信網に接続する接続手段と、
前記接続手段を介した通信量を減らすことを示す通信制御情報に基づいて、前記光源を制御する照明側制御手段と、
を有し、
前記通信端末は、
前記接続手段と通信する端末側通信手段と、
を備える通信システム。
【請求項２】
請求項１に記載の通信システムにおいて、
前記通信端末は、
前記通信端末に照射される光を検出する光検出手段と、
前記光検出手段の検出結果に基づいて、前記接続手段を制御する端末側制御手段と、
を備える通信システム。
【請求項３】
請求項２に記載の通信システムにおいて、
前記光源は発光の色を変更することが可能であり、
前記照明側制御手段は、前記光源の色を制御し、
前記光検出手段は、前記通信端末に照射する光の色を検出し、
前記端末側制御手段は、前記光検出手段が検出した色に基づいて、前記接続手段を制御する通信システム。
【請求項４】
請求項３に記載の通信システムにおいて、
前記端末側制御手段は、前記光検出手段が第１の色を検出したときに、前記端末側通信手段に、前記照明装置とは異なる装置を介して前記通信網に接続させる通信システム。
【請求項５】
請求項３又は４に記載の通信システムにおいて、
前記通信端末は、基地局を介して前記通信網と通信する第２通信手段を有しており、
前記端末側制御手段は、前記光検出手段が第２の色を検出したときに、前記端末側通信手段と前記接続手段の間の通信を終了させ、かつ前記第２通信手段を前記通信網に接続させる通信システム。
【請求項６】
請求項１〜５のいずれか一項に記載の通信システムにおいて、
前記照明装置は、
前記接続手段の前記通信量に基づいて前記通信制御情報を生成する制御情報生成手段を備える通信システム。
【請求項７】
請求項１に記載の通信システムにおいて、
前記光源は複数の色による照明が可能であり、
前記照明側制御手段は、前記光源の色を制御する通信システム。
【請求項８】
光源と、
通信端末と無線で通信し、かつ前記通信端末を通信網に接続する接続手段と、
前記接続手段を介した通信量を減らすことを示す通信制御情報に基づいて、前記光源を制御する照明側制御手段と、
を備える照明装置。
【請求項９】
請求項８に記載の照明装置において、
前記光源は複数の色による照明が可能であり、
前記照明側制御手段は、前記光源の色を制御する照明装置。
【請求項１０】
請求項８又は９に記載の照明装置において、
前記接続手段の前記通信量に基づいて前記通信制御情報を生成する通信制御情報生成手段を備える照明装置。
【請求項１１】
無線で通信を行う端末側通信手段と、
照明光を検出する光検出手段と、
前記光検出手段の検出結果に基づいて、前記端末側通信手段を制御する端末側制御手段と、
を備える通信端末。
【請求項１２】
請求項１１に記載の通信端末において、
前記端末側通信手段は、他の機器を介して通信網に接続し、
前記端末側制御手段は、前記光検出手段が第１の色を検出したときに、前記端末側通信手段に、現在接続している機器とは異なる機器を介して前記通信網に接続させる通信端末。
【請求項１３】
請求項１１又は１２に記載の通信端末において、
前記端末側通信手段は、他の機器を介して通信網に接続し、
他の機器を介さずに前記通信網と通信する第２通信手段を有しており、
前記端末側制御手段は、前記光検出手段が第２の色を検出したときに、前記端末側通信手段と現在接続している機器との間の通信を終了させ、かつ前記第２通信手段を前記通信網に接続させる通信端末。
【請求項１４】
光源と、
通信端末と無線で通信し、かつ前記通信端末を通信網に接続する接続手段と、
を有する照明装置の制御方法であって、
前記接続手段を介した通信量を減らすことを示す通信制御情報に基づいて前記光源を制御する照明装置の制御方法。
【請求項１５】
コンピュータを、照明装置の制御手段として機能させるためのプログラムであって、
前記照明装置は、
光源と、
通信端末と無線で通信し、かつ前記通信端末を通信網に接続する接続手段と、
を備え、
前記コンピュータに、前記接続手段を介した通信量を減らすことを示す通信制御情報に基づいて、前記光源による前記照明を制御する機能を持たせるプログラム。
【請求項１６】
コンピュータを、通信端末の制御手段として機能させるためのプログラムであって、
前記通信端末は、
無線で通信を行う端末側通信手段と、
照明光を検出する光検出手段と、
を備え、
前記コンピュータに、前記光検出手段の検出結果に基づいて、前記端末側通信手段を制御する機能を持たせるプログラム。
【発明の詳細な説明】
【技術分野】
【０００１】
本発明は、通信システム、照明装置、通信端末、照明装置の制御方法、及びプログラムに関する。
【背景技術】
【０００２】
無線通信を行うためには、無線通信用のアクセスポイントを、無線通信を行う場所に設置する必要がある。例えば特許文献１には、照明器具に無線通信のアクセスポイントを取り付けることが記載されている。
【先行技術文献】
【特許文献】
【０００３】
【特許文献１】国際公開第２００８／００７５１４号
【発明の概要】
【発明が解決しようとする課題】
【０００４】
一つのアクセスポイントにアクセスする端末が増加しすぎると、そのアクセスポイントを介する通信量が増えすぎ、その結果、そのアクセスポイントにおいて通信障害が発生する可能性が出てくる。本発明者は、照明装置にアクセスポイントを取り付けた場合において、特定のアクセスポイントにアクセスが集中しないようにすることを検討した。
【０００５】
本発明の目的は、照明装置にアクセスポイントを取り付けた場合において、特定のアクセスポイントにアクセスが集中しないようにすることにある。
【課題を解決するための手段】
【０００６】
本発明によれば、照明装置と、
通信端末と
を備え、
前記照明装置は、
光源と、
前記通信端末と無線で通信し、かつ前記通信端末を通信網に接続する接続手段と、
前記接続手段を介した通信量を減らすことを示す通信制御情報に基づいて、前記光源を制御する照明側制御手段と、
を有し、
前記通信端末は、
前記接続手段と通信する端末側通信手段と、
を備える通信システムが提供される。
【０００７】
本発明によれば、光源と、
通信端末と無線で通信し、かつ前記通信端末を通信網に接続する接続手段と、
前記接続手段を介した通信量を減らすことを示す通信制御情報に基づいて、前記光源を制御する照明側制御手段と、
を備える照明装置が提供される。
【０００８】
本発明によれば、無線で通信を行う端末側通信手段と、
照明光を検出する光検出手段と、
前記光検出手段の検出結果に基づいて、前記端末側通信手段を制御する端末側制御手段と、
を備える通信端末が提供される。
【０００９】
本発明によれば、光源と、
通信端末と無線で通信し、かつ前記通信端末を通信網に接続する接続手段と、
を有する照明装置の制御方法であって、
前記接続手段を介した通信量を減らすことを示す通信制御情報に基づいて前記光源を制御する照明装置の制御方法が提供される。
【００１０】
本発明によれば、コンピュータを、照明装置の制御手段として機能させるためのプログラムであって、
前記照明装置は、
光源と、
通信端末と無線で通信し、かつ前記通信端末を通信網に接続する接続手段と、
を備え、
前記コンピュータに、前記接続手段を介した通信量を減らすことを示す通信制御情報に基づいて、前記光源による前記照明を制御する機能を持たせるプログラムが提供される。
【００１１】
本発明によれば、コンピュータを、通信端末の制御手段として機能させるためのプログラムであって、
前記通信端末は、
無線で通信を行う端末側通信手段と、
照明光を検出する光検出手段と、
を備え、
前記コンピュータに、前記光検出手段の検出結果に基づいて、前記端末側通信手段を制御する機能を持たせるプログラムが提供される。
【発明の効果】
【００１２】
本発明によれば、照明装置にアクセスポイントを取り付けた場合において、特定のアクセスポイントにアクセスが集中しないようにすることができる。
【図面の簡単な説明】
【００１３】
【図１】第１の実施形態に係る通信システムの機能構成を示す図である。
【図２】第２の実施形態に係る通信システムの構成を示す図である。
【図３】図２に示した通信システムの動作の一例を示すフローチャートである。
【図４】図３のステップＳ１０６の詳細例を説明するための図である。
【図５】第３の実施形態に係る通信システムの構成を示す図である。
【図６】第４の実施形態に係る通信システムの機能構成を示す図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
なお、以下に示す説明において、各装置の各構成要素は、ハードウエア単位の構成ではなく、機能単位のブロックを示している。各装置の各構成要素は、任意のコンピュータのＣＰＵ、メモリ、メモリにロードされたプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１６】
（第１の実施形態）
図１は、第１の実施形態に係る通信システムの機能構成を示す図である。本実施形態に係る通信システムは、照明装置１０及び通信端末２０を備えている。本図に示す例において、照明装置１０及び通信端末２０は一つずつのみ示されている。ただし、少なくとも照明装置１０は、互いの間隔を空けて複数設けられていてもよい。この場合、照明装置１０及び通信端末２０は、多対多の関係になる。
【００１７】
照明装置１０は、光源１１０、接続部１２０、及び照明側制御部１３０を備えている。接続部１２０は、通信端末２０と無線で通信し、かつ通信端末２０を通信網３０に接続する。照明側制御部１３０は、接続部１２０を介した通信量を減らすことを示す通信制御情報に基づいて、光源１１０を制御する。そして通信端末２０は、照明装置１０の接続部１２０と通信する。
【００１８】
照明装置１０は、例えば屋内の照明として使用される。ただし、照明装置１０は屋外の照明として使用されても良い。また、光源１１０としては、様々な発光体を使用することができる。照明装置１０は発光の強さを変更することができる。また照明装置１０は、発光の色を変更できるようになっていてもよい。ここで、発光の色が変わる、とは、例えば、発光のスペクトル分布において最大ピーク波長が変わることを意味する。このため、人の目で、色が変わったことが認識できる場合もあればできない場合もある。
【００１９】
接続部１２０と端末側通信部２１０の間で行われる通信の規格は、例えばＷｉ―Ｆｉ（Wireless Fidelity）であるが、他の規格、例えばＢｌｕｅｔｏｏｔｈ（登録商標）であってもよい。
【００２０】
そして、通信制御情報は、例えば照明装置１０の外部から入力される。この入力は、例えば照明装置１０の操作部をユーザが操作することにより行われてもよい。この場合、ユーザは、接続部１２０を介した通信量に基づいて、通信制御情報を照明装置１０に入力するか否かを判断する。
【００２１】
本実施形態によれば、照明側制御部１３０は、通信制御情報に基づいて光源１１０の発光を制御する。照明側制御部１３０は、通信制御情報が入力されると発光の色を変えても良いし、発光の強度を変更してもよい。照明側制御部１３０は、例えば通信制御情報が入力される前は、通信端末２０の画面を見やすい程度の明るさで光源１１０を発光させる。また、このときの発光色は、例えば暖色系になっている。そして照明側制御部１３０は、例えば通信制御情報が入力されると、光源１１０の発光を強めたり、または光源１１０の発光の色を寒色系に変更する。これにより、照明装置１０によって照明される照明エリアにいる人は、他の照明装置の照明エリアに移動する可能性が高くなる。これによって、照明装置１０の接続部１２０に対するアクセスは減少する。その結果、接続部１２０にアクセスが集中することを抑制できる。
【００２２】
なお、後述する他の実施形態に示すように、通信端末２０が、照明装置１０の発光に応じて接続部１２０へのアクセスを制御しても良いし、照明装置１０が通信制御情報を生成しても良い。
【００２３】
（第２の実施形態）
図２は、第２の実施形態に係る通信システムの構成を示す図である。本実施形態に係る通信システムは、通信端末２０が光検出部２２０及び端末側制御部２３０を有している点を除いて、第１の実施形態に係る通信システムと同様の構成である。
【００２４】
光検出部２２０は、通信端末２０に照射される光を検出する。ここで検出される光は、光源１１０からの照明光である。そして、光検出部２２０は、例えば通信端末２０に照射される光の強度を検出する。光源１１０が複数の色で発光することができる場合、光検出部２２０は、通信端末２０に照射される光の色を検出しても良い。そして、端末側制御部２３０は、光検出部２２０の検出結果に基づいて端末側通信部２１０を制御する。
【００２５】
図３は、図２に示した通信システムの動作の一例を示すフローチャートである。まず照明装置１０の照明側制御部１３０は、通信制御情報を取得する（ステップＳ１００）と、光源１１０の発光を制御し、発光状態（例えば強度及び色の少なくとも一方）を変更する（ステップＳ１０２）。
【００２６】
通信端末２０の光検出部２２０は、通信端末２０に照射される光を検出している。端末側制御部２３０は、光検出部２２０の検出結果に基づいて、光源１１０の発光状態が変化したことを検出する（ステップＳ１０４）。そして端末側制御部２３０は、端末側通信部２１０による通信を制御する（ステップＳ１０６）。例えば照明側制御部１３０が光源１１０の発光色を変更させた場合、端末側制御部２３０は、光検出部２２０が検出した変更後の色に応じて、端末側通信部２１０による通信を制御する。
【００２７】
図４は、図３のステップＳ１０６の詳細例を説明するための図である。本図に示す例において、端末側制御部２３０は、端末側通信部２１０に、まず、照明装置１０の接続部１２０との通信を終了させる（ステップＳ２０２）。その後、端末側制御部２３０は、端末側通信部２１０に、他のアクセスポイント（装置）を介して通信網３０と接続させる（ステップＳ２０４）。
【００２８】
以上、本実施形態によっても、第１の実施形態と同様の効果が得られる。また、通信端末２０の端末側制御部２３０は、通信端末２０に照射する光の状態に応じて、照明装置１０の接続部１２０との通信を制御する。このため、照明装置１０に通信制御情報を入力して光源１１０の発光状態を変更することによって、通信端末２０と接続部１２０の間の通信量を削減することができる。
【００２９】
（第３の実施形態）
図５は、第３の実施形態に係る通信システムの構成を示す図である。本実施形態に係る通信システムは、以下の点を除いて第２の実施形態に係る通信システムと同様の構成である。
【００３０】
まず、通信端末２０は、第２通信部２４０を備えている。第２通信部２４０は、基地局３２を介して通信網３０に接続する。基地局３２は、例えば通信会社が提供する携帯通信網の基地局である。また、端末側制御部２３０は、光検出部２２０が第１の色とは異なる第２の色を検出したとき、端末側通信部２１０に接続部１２０との間の通信を終了させ、その後、第２通信部２４０を、基地局３２を介して通信網３０に接続させる。
【００３１】
本実施形態によっても、第２の実施形態と同様の効果が得られる。また、接続部１２０を経由した通信の量が多い場合、通信端末２０は、第２通信部２４０を基地局３２に接続させることによって、通信網３０に接続する。これにより、接続部１２０を介した通信量を削減できる。また、端末側通信部２１０が接続部１２０以外のアクセスポイントに接続できない場合であっても、接続部１２０を介した通信量を削減できる。
【００３２】
なお、本実施形態または第２の実施形態において、光検出部２２０が第１の色及び第２の色とは異なる第３の色を検出した場合、端末側制御部２３０は、端末側通信部２１０に、接続部１２０を介した通信の速度を制御させてもよい。
【００３３】
また、第２通信部２４０が、例えば複数の通信規格に対応している場合、第２の色は、複数の通信規格と同じ数設定されていても良い。この場合、端末側制御部２３０は、光検出部２２０が検出した第２の色に応じて、第２通信部２４０が用いるべき通信規格を選択しても良い。
【００３４】
また、端末側制御部２３０は、照明装置１０の外部に設けられていても良い。例えば通信システムが複数の照明装置１０を有している場合、一つの管理サーバに、複数の照明装置１０それぞれの端末側制御部２３０を設けても良い。
【００３５】
（第４の実施形態）
図６は、第４の実施形態に係る通信システムの機能構成を示す図である。本実施形態に係る通信システムは、照明装置１０が制御情報生成部１４０を有している点を除いて、第２の実施形態に係る通信システムと同様の構成である。
【００３６】
制御情報生成部１４０は、接続部１２０を介した通信量に基づいて、通信制御情報を生成して照明側制御部１３０に送信する。制御情報生成部１４０は、例えば接続部１２０の通信量が基準値を超えた場合に通信制御情報を生成する。なお、制御情報生成部１４０が通信制御情報を生成するための条件は、これに限定されない。例えば制御情報生成部１４０は、接続部１２０の通信量が第１の基準値を超え、かつ通信量を時間で微分した値が第２の基準値を超えた場合に、通信制御情報を生成してもよい。
【００３７】
本実施形態によっても、第２の実施形態と同様の効果が得られる。また、制御情報生成部１４０が通信制御情報を生成するため、接続部１２０の通信量を効率よく抑制することができる。
【００３８】
なお、第１の実施形態及び第３の実施形態においても、本実施形態と同様に照明装置１０が制御情報生成部１４０を有していても良い。
【００３９】
以上、図面を参照して本発明の実施形態について述べたが、これらは本発明の例示であり、上記以外の様々な構成を採用することもできる。
【符号の説明】
【００４０】
１０ 照明装置
２０ 通信端末
３０ 通信網
３２ 基地局
１１０ 光源
１２０ 接続部
１３０ 照明側制御部
１４０ 制御情報生成部
２１０ 端末側通信部
２２０ 光検出部
２３０ 端末側制御部
２４０ 第２通信部
【図１】
2014212424.tif 000003
【図２】
2014212424.tif 000004
【図３】
2014212424.tif 000005
【図４】
2014212424.tif 000006
【図５】
2014212424.tif 000007
【図６】
2014212424.tif 000008